(57)【特許請求の範囲】
【請求項１】
ベース部の室外側に、下方に開口部を形成するように設けられるフード部とにより形成される外壁端末換気口の本体と、この本体の前記開口部に設けられるガラリ部とを備え、前記ガラリ部を前記ベース部側を支点に開閉自在で着脱可能に設け、前記本体にねじにより固定する構成であって、前記ベース部の開口部近傍に折り曲げ部を設け、前記折り曲げ部の垂直面に略Ｔ字状の係合孔を設け、前記係合孔と連通して前記折り曲げ部の水平面に前記ベース部内に浸入した水がベース部の垂直面をつたって下降し排水されるように排水孔を一体に設け、前記係合孔に係合するＴ字状の突起部をガラリ部に設けた外壁端末換気口。
【請求項２】
ガラリ部にガラリ開閉用の手掛け部を一体に設けた請求項１に記載の外壁端末換気口。
【請求項３】
ガラリ部に反壁面側に向けて斜め下向きの手掛け部を一体に設けた請求項２記載の外壁端末換気口。
【発明の詳細な説明】
【技術分野】
【０００１】
本発明は、住宅等の室内空気を換気するときに建物の外壁部分に設けられる外壁端末換気口に関する。
【背景技術】
【０００２】
従来、この種の外壁端末換気口としてフードの下方開口にガラリを設けた換気フードが知られている（例えば、特許文献１参照）。
【０００３】
以下、その外壁端末換気口について図１７および図１８を参照しながら説明する。
【０００４】
図に示すように、フード１０１の下方開口の内側には本体１０２からフード先端１０３方向に壁１０４と垂直となるようにガラリ１０５がねじ１０６でフード先端１０３に固定され構成されている。
【先行技術文献】
【特許文献】
【０００５】
【特許文献１】特開平１１−２８１１１２号公報（［００１２］、図１、図３）
【発明の概要】
【発明が解決しようとする課題】
【０００６】
このような従来の外壁端末換気口では、ガラリ１０５はねじ１０６のみにより固定されていいるため、ねじ１０６による不安定な取り付けや、取り付けたねじ１０６がゆるみ外れた場合には、ガラリ１０５が落下し危険性を伴なうという課題があり、ねじ１０６がゆるんでもガラリ１０５が落下しないようにすることが要求されている。
【０００７】
本発明は、このような従来の課題を解決するものであり、ねじがゆるんでガラリの固定が外れても、ガラリが落下しないようにして安全性を確保できる外壁端末換気口を提供することを目的としている。
【課題を解決するための手段】
【０００８】
本発明の外壁端末換気口は上記目的を達成するために、ベース部の室外側に、下方に開口部を形成するように設けられるフード部とにより形成される外壁端末換気口の本体と、この本体の前記開口部に設けられるガラリ部とを備え、前記ガラリ部を前記ベース部側を支点に開閉自在で着脱可能に設け、前記本体にねじにより固定する構成であって、前記ベース部の開口部近傍に折り曲げ部を設け、前記折り曲げ部の垂直面に略Ｔ字状の係合孔を設け、前記係合孔と連通して前記折り曲げ部の水平面に前記ベース部内に浸入した水がベース部の垂直面をつたって下降し排水されるように排水孔を一体に設け、前記係合孔に係合するＴ字状の突起部をガラリ部に設けた構成としたものである。
この手段により、ねじが外れてもガラリの落下を防止して安全性を高めることができる外壁端末換気口が得られる。
【０００９】
また、他の手段は、ベース部の開口部近傍に略Ｔ字状の係合孔を一体に設け、前記ベース部の係合孔に係合するＴ字状の突起部をガラリ部に一体に設けたものである。
【００１０】
この手段により、別部材を設けることなく、安価に安全性を向上できる外壁端末換気口が得られる。
【発明の効果】
【００１１】
本発明によれば、ガラリ部を固定するねじが外れてもガラリの落下を防止して安全性を高めるとともに、別部材を設けることなく、安価に安全性を向上することができる。
【００１２】
また、外風の影響等でガラリ部が落下しにくくなり安全性を向上することができ、フード内部の掃除などのメンテナンスが簡単にすることができる。
【００１３】
また、本発明によれば、ベース部の開口部近傍に折り曲げ部を設け、前記折り曲げ部の垂直面に略Ｔ字状の係合孔を設け、前記係合孔と連通して前記折り曲げ部の水平面に前記ベース部内に浸入した水がベース部の垂直面をつたって下降し排水されるように排水孔を一体に設け、前記係合孔に係合するＴ字状の突起部をガラリ部に設ける構成としたので、ベース部内に浸入した水はベース部の垂直面をつたって下降し、折り曲げ部の水平面に設けた排水孔より確実に室外に排水することができるとともに、ベース部に排水孔を一体に設けることで部品加工の簡易化を図ることができるという効果のある外壁端末換気口を提供することができる。
【図面の簡単な説明】
【００１４】
【図１】本発明の前提例１の外壁端末換気口の分解斜視図
【図２】同外壁端末換気口のガラリ部の仮固定状態を示す斜視図
【図３】同外壁端末換気口の斜視図
【図４】同外壁端末換気口の設置状態を示す構成図
【図５】参考例１の外壁端末換気口の分解斜視図
【図６】同外壁端末換気口のガラリ部の仮固定状態を示す斜視図
【図７】同外壁端末換気口の斜視図
【図８】参考例２の外壁端末換気口の分解斜視図
【図９】同外壁端末換気口のガラリ部の仮固定状態を示す斜視図
【図１０】同外壁端末換気口の斜視図
【図１１】本発明の実施の形態１の外壁端末換気口の分解斜視図
【図１２】本発明の参考例３の外壁端末換気口の斜視図
【図１３】本発明の実施の形態２の外壁端末換気口のガラリ部の仮固定状態を示す斜    視図
【図１４】同外壁端末換気口の構成図
【図１５】本発明の実施の形態３の外壁端末換気口の分解斜視図
【図１６】同外壁端末換気口の設置状態を示す構成図
【図１７】従来の外壁端末換気口の換気フードの設置状態を示す断面図
【図１８】同外壁端末換気口の換気フードの下面図
【発明を実施するための形態】
【００１５】
以下、本発明の実施の形態について図面を参照しながら説明する。
【００１６】
（前提例１）
図１〜図４に示すように、ダクト１に接続される筒状部２を設けたベース部３の室外側に、下方に開口部４を形成するように設けられるフード部５とにより形成される外壁端末換気口の本体６と、本体６の開口部４に設けられるガラリ部７とを備え、ベース部３の開口部４の近傍に略Ｔ字状の係合孔８を一体に設け、ベース部３の係合孔８に係合するＴ字状の突起部９をガラリ部７と一体に設け、ガラリ部７をベース部３側を支点に開閉自在で着脱可能に設け、本体６にねじ１０により固定する構成とする。
【００１７】
上記構成においては、ガラリ部７を本体６に取り付けるときには、ベース部３に設けたＴ字状の係合孔８にガラリ部７に設けたＴ字状の突起部９を係合させてベース部３にガラリ部７をベース部３側を支点に開閉自在で着脱可能に設け、ガラリ部７を閉鎖した状態でねじ１０により本体６に固定する。
【００１８】
これによれば、ベース部３の室外側に下方に開口部４を形成するように設けられるフード部５とにより形成される外壁端末換気口の本体６と、本体６の開口部４に設けられるガラリ部７とを備え、ガラリ部７をベース部３側を支点に開閉自在で着脱可能に設け、本体６にねじ１０により固定するので、ガラリ部７の固定をねじ１０等の固定用部材と併用してガラリ部７をベース部３に開閉自在に設けられることで、ねじ１０の締め忘れや、錆による破損などの締結不具合が発生しても、ガラリ部７の落下を防止できる二重落下防止構造により安全性を向上できることとなる。
【００１９】
また、ベース部３の開口部４近傍に略Ｔ字状の係合孔８を一体に設け、ベース部３の係合孔８に係合するＴ字状の突起部９をガラリ部７に一体に設けたのでねじ１０を外すとガラリ部７はベース部３側を支点として回動して下方に開くこととなる。すなわち、ガラリ部７に設けたＴ字状の突起部９は、ベース部３に設けたＴ字状の係合孔８の幅広部から幅狭部の下方向に移動しつつ回動し、回動終了後はベース部３に保持されることとなり、ガラリ部７の取り外し時にはガラリ部７を上方向に持ち上げないと外れないことによって、外風の影響等で落下することがなくなり安全性が向上でき、また、ねじ１０を外してガラリ部７を仮固定しているときには、ガラリ部７はベース部３にぶらさがった状態にあるため、フード部５内の掃除などのメンテナンスが簡単に実施でき、また、ベース部３にＴ字状の係合孔８を設けることでガラリ部７が上下方向に移動可能となり、ねじ１０による本体６への固定位置は定位置のままガラリ部７の厚み違いに対応でき、材質の異なるガラリ部７の仕様にも対応可能となるとともに、係合孔８および突起部９をベース部３およびガラリ部７に一体に設けることで、別部材を設けることなく安価に安全性を向上できることとなる。
【００２０】
（参考例１）
図５〜図７に示すように、ベース部３Ａの開口部４近傍に略Ｔ字状の突起部９Ａを一体に設け、ベース部３Ａの突起部９Ａに係合するＴ字状の係合孔８Ａをガラリ部７Ａに一体に設けて構成する。
【００２１】
上記構成においては、ガラリ部７Ａをベース部３Ａに取り付けるときには、ガラリ部７Ａに設けた係合孔８Ａの幅広部がベース部３Ａに設けた突起部９Ａに係合し、ガラリ部７Ａに設けた係合孔８Ａの幅広部から幅狭部の方向に移動しつつ回動し、回動終了後はベース部３Ａに保持されることとなり、ガラリ部７Ａの取り外し時にはガラリ部７Ａを上方向に持ち上げないと外れないことによって外風の影響等で落下することがなくなり安全性が向上でき、また、ねじ１０を外してガラリ部７Ａを仮固定しているときには、ガラリ部７Ａはベース部３Ａにぶらさがった状態であるため、フード部５内の掃除などのメンテナンスが簡単に実施でき、また、ガラリ部７ＡにＴ字状の係合孔８Ａを設けることで、ガラリ部７Ａが上下方向に移動可能となり、ねじ１０による本体６への固定位置は定位置のままガラリ部７Ａの厚み違いに対応でき材質の異なるガラリ部７Ａの仕様にも対応可能となるとともに、係合孔８Ａおよび突起部９Ａをガラリ部７Ａおよびベース部３Ａに一体に設けることで別部材を設けることなく安価に安全性を向上できることとなる。
【００２２】
（参考例２）
図８〜図１０に示すように、ベース部３Ｂの開口部４近傍に横長状の係合孔８Ｂを設け、ベース部３Ｂの係合孔８Ｂに係合するＬ字状の突起部９Ｂをガラリ部７Ｂに設け構成する。
【００２３】
上記構成においては、ガラリ部７Ｂをベース部３Ｂに嵌合係止させるときには、ガラリ部７ＢのＬ字状の突起部９Ｂを、左右何れかからベース部３Ｂの横長状の係合孔８Ｂに合致させ挿入し、ガラリ部７Ｂの中心を本体６の中心と重なるように左または右に移動させてガラリ部７Ｂを取り付け、ガラリ部７Ｂを取り外すときにはねじ１０を外すとガラリ部７Ｂがベース部３Ｂを起点に下方向に回動し、回動終了後はベース部３Ｂに保持され、ガラリ部７Ｂは左または右方向に移動しない限り外れなくなり、よって外風の影響によって落下しにくくなり安全性が向上でき、また、ベース部３Ｂに設けられた係合孔８Ｂは簡単な横長状で良いので複雑な形状にする必要もなく、また、ねじ１０を外してガラリ部７Ｂを仮固定したときには、ガラリ部７Ｂはベース部３Ｂにぶらさがった状態となるため、本体６内部の掃除などのメンテナンスを簡単に実施することができることとなる。
【００２４】
（実施の形態１）
図１１に示すように、ベース部３Ｃの開口部４近傍に折り曲げ部１１を設け、折り曲げ部１１の垂直面１２に略Ｔ字状の係合孔８Ｃを設け、係合孔８Ｃと連通して折り曲げ部１１の水平面１３に排水孔１４を一体に設け、ガラリ部７Ｃに係合孔８Ｃに係合するＴ字状の突起部９Ｃを設け構成する。
【００２５】
上記構成においては、ベース部３Ｃ内に浸入した水はベース部３Ｃの垂直面１２をつたって下降し、折り曲げ部１１の水平面１３に設けた排水孔１４より確実に室外に排水することができるとともに、ベース部３Ｃに排水孔１４を一体に設けることで部品加工の簡易化を図ることができることとなる。なお、その他の構成は前提例１と同じ構成となっている。
【００２６】
（参考例３）
図１２に示すように、ガラリ部７Ｄに網状のネット１５を重ねて構成する。
【００２７】
上記構成においては、網状のネット１５をガラリ部７Ｄに設けることにより、重量が増加しガラリ部７Ｄの落下する危険性も増加することとなるが、ガラリ部７Ｄは開閉自在で着脱可能に本体６内に設けられねじ１０により固定される二重落下防止構造に形成されているため安全性は確保できるとともに、小さな虫の室内への侵入を防止できることとなる。
【００２８】
（実施の形態２）
図１３および図１４に示すように、ガラリ部７Ｅにガラリ開閉用の手掛け部１６を一体に設けて構成する。
【００２９】
上記構成においては、ガラリ部７Ｅを固定するねじ１０の錆などによる固着が発生した場合などに、手掛け部１６をつまんでガラリ部７Ｅを引き出すことが可能となり、取扱い勝手が良くなり便利となることとなる。
【００３０】
（実施の形態３）
図１５および図１６に示すように、ガラリ部７Ｆに外壁面１７から遠ざかる方向となる反壁面側に向って斜め下向きの手掛け部１６Ａを一体に設け、ガラリ部７Ｆに設けた突起部９をベース部３に設けた係合孔８に係合してガラリ部７Ｆを開閉自在で着脱可能に取り付け、ねじ１０により固定する構成とする。
【００３１】
上記構成においては、ガラリ部７Ｆを固定するねじ１０の錆などによる固着が発生した場合などに、手掛け部１６Ａを押し込んでガラリ部７Ｆを可動させることが可能となるとともに、手掛け部１６Ａが反壁面側に向けて斜め下向きに形成されていることにより、室内から排出される汚染空気に反壁面側に向けて整流効果を持たせることができ、汚染空気により外壁面１７が汚れるのを軽減することができることとなる。
【産業上の利用可能性】
【００３２】
室内の天井に設けられる空気調和機用の吹出口に、ガラリ部を開閉自在で着脱自在に設けることによりガラリ部の仮固定を可能にできる吹出口にも適用できる。
【符号の説明】
【００３３】
３      ベース部
３Ａ    ベース部
３Ｂ    ベース部
３Ｃ    ベース部
４      開口部
５      フード部
６      本体
７      ガラリ部
７Ａ    ガラリ部
７Ｂ    ガラリ部
７Ｃ    ガラリ部
７Ｄ    ガラリ部
７Ｅ    ガラリ部
７Ｆ    ガラリ部
８      係合孔
８Ａ    係合孔
８Ｂ    係合孔
８Ｃ    係合孔
９      突起部
９Ａ    突起部
９Ｂ    突起部
９Ｃ    突起部
１０    ねじ
１１    折り曲げ部
１２    垂直面
１３    水平面
１４    排水孔
１５    ネット
１６    手掛け部
１６Ａ  手掛け部
【図１】
0004788395.tif 000002
【図２】
0004788395.tif 000003
【図３】
0004788395.tif 000004
【図４】
0004788395.tif 000005
【図５】
0004788395.tif 000006
【図６】
0004788395.tif 000007
【図７】
0004788395.tif 000008
【図８】
0004788395.tif 000009
【図９】
0004788395.tif 000010
【図１０】
0004788395.tif 000011
【図１１】
0004788395.tif 000012
【図１２】
0004788395.tif 000013
【図１３】
0004788395.tif 000014
【図１４】
0004788395.tif 000015
【図１５】
0004788395.tif 000016
【図１６】
0004788395.tif 000017
【図１７】
0004788395.tif 000018
【図１８】
0004788395.tif 000019